(57)【要約】【課題】複数のドラムのうちの一部のドラムを使用して印刷する際に、無製版のマスタの巻装を不要にし、かつ、印刷用紙が汚れること抑制することが可能な孔版印刷装置を提供する。【解決手段】  搬送経路ＲＣに沿って搬送される印刷用紙Ｗに印刷する孔版印刷装置であって、第１孔版印刷部４は、回転軸４１ａを中心に回転駆動される第１ドラム４１と、第１ドラム４１に巻装される第１マスタＧ１と、印刷時に印刷用紙Ｗを第１ドラム４１に押し付ける第１プレスローラ４３とを備えており、第１マスタＧ１は、製版可能領域ＱＡと製版不可能領域ＱＢとを備えており、印刷制御部２０３は、第２孔版印刷部５のみを使用して印刷を行う場合、第１ドラム４１から離間するように第１プレスローラ４３を制御するとともに、製版不可能領域ＱＢが搬送経路ＲＣに最も近い経路近傍位置ＮＰとなるように第１ドラム４１の回転角度を制御する。【選択図】  図２
2017185661.tif 000002
【特許請求の範囲】
【請求項１】
第１孔版印刷部と、
第２孔版印刷部と、
前記第１孔版印刷部と前記第２孔版印刷部とを制御する印刷制御部と、を備え、搬送経路に沿って搬送される印刷用紙に印刷する孔版印刷装置であって、
前記第１孔版印刷部は、
回転軸を中心に回転駆動される第１ドラムと、
前記第１ドラムに巻装され、穿孔により製版画像が形成される第１マスタと、
印刷時に前記印刷用紙を前記第１ドラムに向けて押し付ける第１プレスローラと、を備えており、
前記第１ドラムに巻装された前記第１マスタは、
前記製版画像を形成可能な製版可能領域と、
前記製版画像を形成不可能な製版不可能領域と、を備えており、
前記印刷制御部は、前記第２孔版印刷部のみを使用して印刷を行う場合、前記第１ドラムから離間するように前記第１プレスローラを制御するとともに、前記製版不可能領域が前記搬送経路に最も近い経路近傍位置となるように前記第１ドラムの回転角度を制御する
ことを特徴とする孔版印刷装置。
【請求項２】
前記製版画像を示す製版画像データを取得する取得部と、
前記製版画像データに基づいて、前記製版可能領域内から、前記製版画像を構成する穿孔が所定長以上にわたって形成されていない空白領域を特定する特定部を備え、
前記印刷制御部は、前記第２孔版印刷部のみを使用した印刷において前記印刷用紙が所定枚数搬送された場合、前記空白領域が前記経路近傍位置となるように前記第１ドラムの回転角度を制御する
ことを特徴とする請求項１に記載の孔版印刷装置。
【請求項３】
前記製版不可能領域は、前記第１ドラムに装着された第１マスタの副走査方向おいて、前記第１マスタの先端部側に位置しており、
前記印刷制御部は、前記第２孔版印刷部のみを使用した印刷が終了した場合、前記第１マスタの先端部が前記第１ドラムの前記回転軸の中心よりも上下方向において上側になるように、前記第１ドラムの回転角度を制御する
ことを特徴とする請求項１又は２に記載の孔版印刷装置。
【請求項４】
前記印刷制御部は、前記第２孔版印刷部のみを使用した印刷が中断した場合、前記第１ドラムの回転角度を維持する
ことを特徴とする請求項３に記載の孔版印刷装置。
【請求項５】
前記印刷制御部は、前記第２孔版印刷部のみを使用した印刷が中断した後、前記孔版印刷装置の電源の切断、又は、所定期間の経過を検出した場合、前記第１マスタの先端部が前記第１ドラムの前記回転軸の中心よりも上下方向において上側になるように、前記第１ドラムの回転角度を制御する
ことを特徴とする請求項４に記載の孔版印刷装置。
【発明の詳細な説明】
【技術分野】
【０００１】
本発明は、搬送経路に沿って搬送される印刷用紙に印刷する孔版印刷装置に関する。
【背景技術】
【０００２】
従来、孔版印刷装置は、インクを転写するために、プレスローラによって印刷用紙をドラムに向けて押し付けることで、ドラムとプレスローラによって印刷用紙を挟持し、ドラムに巻装されるマスタに形成した製版画像を印刷用紙に印刷する。
【０００３】
このような孔版印刷装置としては、マスタを巻装した第１ドラムと第２ドラムとの２つのドラムを備え、第１〜第２ドラムを使用して印刷を行う孔版印刷装置が知られている。かかる孔版印刷装置では、第１〜第２ドラムの両方を使用して、例えば２色印刷を行うことも可能であるし、第１〜第２ドラムのうちの一方のドラムのみを使用して、例えば単色印刷を行うことも可能である。
【０００４】
ここで、かかる孔版印刷装置では、一方のドラムのみを使用して印刷する場合に、印刷に使用しない未使用ドラムには、穿孔されていない無製版のマスタを巻装しているが、無製版のマスタの使用を無くすため、印刷時に押し付けるプレスローラの位置を未使用ドラムから離間させて、印刷用紙の通路を確保する構成の孔版印刷装置も提案されている（例えば、特許文献１参照）。
【先行技術文献】
【特許文献】
【０００５】
【特許文献１】特許第４７１２９３０号公報
【発明の概要】
【発明が解決しようとする課題】
【０００６】
しかしながら、特許文献１に係る孔版印刷装置では、プレスローラの位置を離間するよう移動させるものの、未使用ドラムの位置は移動させない。このため、搬送経路に沿って搬送される印刷用紙が未使用ドラムを通過する際に、未使用ドラムに接触して汚れるおそれがあった。
【０００７】
本発明は、このような状況に鑑みてなされたもので、複数のドラムのうちの一部のドラムを使用して印刷する際に、無製版のマスタの巻装を不要にし、かつ、印刷用紙が汚れること抑制することが可能な孔版印刷装置を提供することを目的とする。
【課題を解決するための手段】
【０００８】
上記目的を達成するため、本発明に係る孔版印刷装置の第１の特徴は、第１孔版印刷部と、第２孔版印刷部と、前記第１孔版印刷部と前記第２孔版印刷部とを制御する印刷制御部と、を備え、搬送経路に沿って搬送される印刷用紙に印刷する孔版印刷装置であって、前記第１孔版印刷部は、回転軸を中心に回転駆動される第１ドラムと、前記第１ドラムに巻装され、穿孔により製版画像が形成される第１マスタと、印刷時に前記印刷用紙を前記第１ドラムに向けて押し付ける第１プレスローラと、を備えており、前記第１ドラムに巻装された前記第１マスタは、前記製版画像を形成可能な製版可能領域と、前記製版画像を形成不可能な製版不可能領域と、を備えており、前記印刷制御部は、前記第２孔版印刷部のみを使用して印刷を行う場合、前記第１ドラムから離間するように前記第１プレスローラを制御するとともに、前記製版不可能領域が前記搬送経路に最も近い経路近傍位置となるように前記第１ドラムの回転角度を制御することにある。
【０００９】
本発明に係る孔版印刷装置の第２の特徴は、上記特徴に係り、前記製版画像を示す製版画像データを取得する取得部と、前記製版画像データに基づいて、前記製版可能領域内から、前記製版画像を構成する穿孔が所定長以上にわたって形成されていない空白領域を特定する特定部を備え、前記印刷制御部は、前記第２孔版印刷部のみを使用した印刷において前記印刷用紙が所定枚数搬送された場合、前記空白領域が前記経路近傍位置となるように前記第１ドラムの回転角度を制御することにある。
【００１０】
本発明に係る孔版印刷装置の第３の特徴は、上記特徴に係り、前記製版不可能領域は、前記第１ドラムに装着された第１マスタの副走査方向おいて、前記第１マスタの先端部側に位置しており、前記印刷制御部は、前記第２孔版印刷部のみを使用した印刷が終了した場合、前記第１マスタの先端部が前記第１ドラムの前記回転軸の中心よりも上下方向において上側になるように、前記第１ドラムの回転角度を制御することにある。
【００１１】
本発明に係る孔版印刷装置の第４の特徴は、上記特徴に係り、前記印刷制御部は、前記第２孔版印刷部のみを使用した印刷が中断した場合、前記第１ドラムの回転角度を維持することにある。
【００１２】
本発明に係る孔版印刷装置の第５の特徴は、上記特徴に係り、前記印刷制御部は、前記第２孔版印刷部のみを使用した印刷が中断した後、前記孔版印刷装置の電源の切断、又は、所定期間の経過を検出した場合、前記第１マスタの先端部が前記第１ドラムの前記回転軸の中心よりも上下方向において上側になるように、前記第１ドラムの回転角度を制御することにある。
【発明の効果】
【００１３】
本発明に係る孔版印刷装置の第１の特徴によれば、印刷制御部は、第２孔版印刷部のみを使用した印刷を行う場合、第１ドラムから離間するように前記第１プレスローラを制御するので、印刷用紙は、第１プレスローラによって第２ドラムに向けて押し付けられずに、第１ドラムと第１プレスローラとの隙間を通過して搬送される。これにより、無製版のマスタを未使用の第１ドラムに巻装する必要がなくなる。また、印刷制御部は、第２孔版印刷部のみを使用した印刷を行う場合、第１マスタに備えられる製版不可能領域が経路近傍位置となるように、第１ドラムの回転角度を制御するので、搬送経路に沿って搬送される印刷用紙が、第１ドラムの第１マスタの製版領域に接触してインクが付着してしまうことを抑制できる。
【００１４】
このように、本発明に係る孔版印刷装置によれば、複数のドラムのうちの一部の第２ドラムを使用して印刷する際に、無製版のマスタの巻装を不要にし、かつ、印刷用紙が汚れること抑制することができる。
【００１５】
本発明に係る孔版印刷装置の第２の特徴によれば、印刷制御部は、第２孔版印刷部のみを使用した印刷において印刷用紙が所定枚数搬送された場合、空白領域が経路近傍位置となるように第１ドラムの回転角度を制御する。これにより、搬送される印刷用紙が第１マスタに接触（衝突）することに起因して、第１マスタが破損することを抑制できる。
【００１６】
本発明に係る孔版印刷装置の第３の特徴によれば、印刷制御部は、第２孔版印刷部のみを使用した印刷が終了した場合、第１マスタの先端部が第１ドラムの回転軸よりも上下方向において上側になるように、第１ドラムの回転角度を制御する。これにより、第１マスタの先端部からインクが漏れ出ることを防止できる。
【００１７】
本発明に係る孔版印刷装置の第４の特徴によれば、印刷制御部は、第２孔版印刷部のみを使用した印刷が中断した場合、第１ドラムの回転角度を維持する。これにより、第２孔版印刷部のみを使用した印刷が再開する際に、より迅速に再開できる。
【００１８】
本発明に係る孔版印刷装置の第５の特徴によれば、印刷制御部は、第２孔版印刷部のみを使用した印刷が中断した後、孔版印刷装置の電源の切断、又は、所定期間の経過を検出した場合、第１マスタの先端部が第１ドラムの回転軸よりも上下方向において上側になるように、第１ドラムの回転角度を制御する。これにより、印刷を実行しない状態が継続する場合には、第１マスタの先端部が第１ドラムの回転軸の中心よりも上側に移動されるため、第１マスタの先端部からインクが漏れ出ることを防止できる。
【図面の簡単な説明】
【００１９】
【図１】本発明の実施例１に係る孔版印刷装置の概略構成図である。
【図２】本発明の実施例１に係る孔版印刷装置の機能を示すブロック図である。
【図３】本発明の実施例１に係る孔版印刷装置において製版される第１マスタの一例を示す説明図である。
【図４】本発明の実施例１に係る孔版印刷装置の動作を示すフローチャートである。
【図５】本発明の実施例１に係る孔版印刷装置の動作を示すフローチャートである。
【図６】本発明の実施例１に係る孔版印刷装置の第１ドラムの回転角度の一例を示す説明図である。
【図７】本発明の実施例１に係る孔版印刷装置の動作を示すフローチャートである。
【図８】本発明の実施例２に係る孔版印刷装置の記憶部に記憶される情報の一例を示す説明図である。
【図９】本発明の実施例２に係る孔版印刷装置の動作を示すフローチャートである。
【図１０】本発明の実施例３に係る孔版印刷装置の動作を示すフローチャートである。
【図１１】（ａ）本発明の実施例３に係る孔版印刷装置の第１ドラムの回転角度の一例を示す説明図である。（ｂ）本発明の実施例３に係る孔版印刷装置の第１ドラムの回転角度の一例を示す説明図である。
【発明を実施するための形態】
【００２０】
以下、本発明の実施例に係る孔版印刷装置について、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２１】
［実施例１］
＜孔版印刷装置の構成＞
本発明の実施例１では、２色印刷が可能な２ドラム式の孔版印刷装置を例に挙げて説明する。図１は、本発明の実施例１に係る印刷装置が設けられた孔版印刷装置１の概略構成図である。また、以下の説明において、図１に示すように、図１の上下を上下方向ＺＤとし、図１の左右を左右方向ＸＤとして説明する。
【００２２】
図１に示すように、孔版印刷装置１は、搬送経路ＲＣに沿って搬送される印刷用紙Ｗに印刷する。孔版印刷装置１は、読取部２と、給紙部３と、第１孔版印刷部４と、第２孔版印刷部５と、製版部６と、第１排版部８と、第２排版部９と、中間搬送部１０と、排紙部１１と、操作パネル部１２０と、枚数センサ部１５０と、本体制御部２００とを備えている。
【００２３】
読取部２は、孔版印刷装置１の上部に設けられ、図示しないコンタクトガラス上に載置された原稿から製版画像データを読み取る。
【００２４】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１孔版印刷部４の第１ドラム４１の回転に同期して第１ドラム４１と第１プレスローラ４３間に搬送する一対の２次給紙ロール３３とを備える。
【００２５】
製版部６は、ロールされた長尺状のマスタＧを収容する原紙収容部６１と、この原紙収容部６１の搬送下流に配置され、マスタＧを加熱穿孔するサーマルヘッド６２と、このサーマルヘッド６２の対向位置に配置されたプラテンロール６３と、このプラテンロール６３及びサーマルヘッド６２の搬送下流に配置された一対の原紙送りロール６４と、一対の原紙送りロール６４の搬送下流に配置された原紙カッタ６５とを有し、読取部２により読み取られた製版画像データに基づいて製版を行う。
【００２６】
また、製版部６は、図示しないレールによって図１におけるＸ１方向に移動自在に支持されており、第１孔版印刷部４に製版したマスタＧを供給する位置と、第２孔版印刷部５に製版したマスタＧを供給する位置とを選択的に移動可能である。
【００２７】
第１排版部８は、後述する第１孔版印刷部４の第１ドラム４１の近傍に設けられており、第１ドラム４１の外周面より開放（排版）されたマスタＧを第１ドラム４１より引き剥がし、引き剥がされたマスタＧを排版ボックス（不図示）内に収納する。なお、第２排版部９は、第１排版部８と同様の構成を備える。
【００２８】
第１孔版印刷部４は、外周面にインクを内方から滲出可能な開孔部が周方向に沿って設けられ、ドラム駆動モータ４８（図２参照）の駆動力によって図１の矢印に示す回転方向Ａに回転軸４１ａを中心に回転駆動される第１ドラム４１と、第１ドラム４１に巻装され、穿孔により製版画像が形成される第１マスタＧ１と、第１ドラム４１との間でマスタＧの先端部を把持又は開放するように回動する第１原紙クランプ部４５と、第１ドラム４１の下方位置に配置され、印刷時に印刷用紙Ｗを第１ドラム４１に向けて押し付ける第１プレスローラ４３とを備えている。
【００２９】
そして、第１孔版印刷部４は、製版部６から搬送される第１マスタＧ１の先端部を第１原紙クランプ部４５でクランプし、このクランプした状態で第１ドラム４１を回転してマスタＧが第１ドラム４１の外周面に巻装され、第１ドラム４１の回転に同期して搬送されてくる印刷用紙Ｗを第１プレスローラ４３にて第１ドラム４１のマスタＧに押圧することによって印刷用紙ＷにマスタＧの穿孔部分からインクが押し出されて製版画像が印刷用紙Ｗの表面に印刷される。
【００３０】
また、第１孔版印刷部４は、第１ドラム４１の用紙搬送下流側の近傍に配置された分離爪８１と分離ノズル８２と分離ファン８３を備える。分離爪８１は、第１ドラム４１の外周面とこれに貼り付いた状態で搬送されてくる印刷用紙Ｗの先端との間に挿入されるようになっている。これによって、第１ドラム４１の外周面に貼り付いて回転しようとする印刷用紙Ｗを強制的に第１ドラム４１の外周面から引き剥がすようになっている。
【００３１】
分離ファン８３は印刷用紙Ｗを第１ドラム４１から分離するための分離エアーを発生させる。分離ファン８３により発生させた分離エアーは、分離ノズル８２より、第１ドラム４１の外周面とこれに貼り付いた状態で搬送されてくる印刷用紙Ｗとの間に吹き付けられる。分離ファン８３は第１ドラム４１の回転中は常に駆動され、この分離エアーによって、分離爪８１に設けられたエアーノズルから吐出される先端分離エアーにより先端部だけを引き剥がされた印刷用紙Ｗの全体を強制的に第１ドラム４１の外周面から引き剥がすようになっている。
【００３２】
第１プレスローラ４３が第１ドラム４１に押圧することによって画像が印刷され、分離爪８１及び分離ノズル８２により、第１ドラム４１の外周面から引き剥がされた印刷用紙Ｗは、中間搬送部１０により搬送される。
【００３３】
中間搬送部１０は、一対のベルト掛けプーリ１０１，１０１と、この一対のベルト掛けプーリ１０１，１０１に掛けられた無端ベルト１０２と、この無端ベルト１０２の用紙搬送面に印刷用紙Ｗを吸引する吸引ファン１０３と、無端ベルト１０２を移動させるベルト駆動手段（図示せず）とを備えている。また、中間搬送部１０は第１ドラム４１から剥離された印刷用紙Ｗを受け取り、受け取った印刷用紙Ｗを第２ドラム５１の回転に同期して第２ドラム５１と第２プレスローラ５３間に給紙するようになっている。そのため、無端ベルト１０２は、給紙部３により搬送された印刷用紙Ｗの搬送速度と同じ速度で印刷用紙Ｗが搬送されるように移動する。
【００３４】
第２孔版印刷部５は、第１孔版印刷部４と同様に、第２ドラム５１の回転に同期して一対の２次給紙ロール５４より給紙される印刷用紙Ｗを第２プレスローラ５３で第２ドラム５１に巻装された第２のマスタに押圧することによって、第２のマスタの穿孔からインクが押し出されて画像が印刷用紙Ｗに印刷されるようになっている。
【００３５】
また、第２孔版印刷部５は、第２ドラム５１に接触して設けられ、第２ドラム５１の用紙搬送下流側の近傍に配置された分離爪７１と分離ノズル７２と分離ファン７３とを備える。なお、第２孔版印刷部５に備えられる分離爪７１と分離ノズル７２と分離ファン７３の構成は、第１孔版印刷部４に備えられる分離爪８１と分離ノズル８２と分離ファン８３との構成と同様の構成を備える。
【００３６】
排紙部１１は、印刷された印刷用紙Ｗが搬送される排紙ベルト１１１と、排紙ベルト１１１より排紙される印刷用紙Ｗが積置される排紙台１１２とを備える。
【００３７】
操作パネル部１２０は、操作キーや表示／入力パネル（いずれも不図示）を備えており、ユーザによって操作キーが押下操作され、又は表示／入力パネルがタッチ操作されることによって、孔版印刷装置１の各種設定に関する設定データ等を含む操作データを生成し、生成した操作データを制御部２００へ供給する。
【００３８】
枚数センサ部１５０は、中間搬送部１０において、第１孔版印刷部４から搬送される印刷用紙Ｗを１枚ずつ検出する。枚数センサ部１５０は、印刷用紙Ｗが搬送される度に、１枚の印刷用紙Ｗが搬送されたことを示す搬送データを本体制御部２００に送信する。
【００３９】
本体制御部２００は、各種機能を統括制御して、印刷用紙に印刷する印刷処理を実行する。本体制御部２００は、第１孔版印刷部４と第２孔版印刷部５との両方を使用した両ドラム印刷処理と、第１孔版印刷部４と第２孔版印刷部５とのうちの片方を使用した片側ドラム印刷処理とを実行する。
【００４０】
ここで、図２は、本発明の実施例１に係る孔版印刷装置１の機能構成を示したブロック図である。
【００４１】
図２に示すように、本体制御部２００は、取得部２０１と、特定部２０２と、印刷制御部２０３と、記憶部２０４とを備える。
【００４２】
取得部２０１は、本体制御部２００に入力される各種情報を取得する。例えば、取得部２０１は、印刷処理の実行を指示する印刷ジョブを取得する。また、取得部２０１は、印刷ジョブに含まれる製版画像データを取得する。製版画像データは、第１マスタＧ１及び第２マスタＧ２において、穿孔により形成する製版画像を示すデータである。なお、取得部２０１は、読取部２によって読み取られ、記憶部２０４に記憶された製版画像データを取得してもよいし、孔版印刷装置１に接続されるパーソナルコンピュータなどの外部端末（不図示）から製版画像データを取得してもよい。
【００４３】
特定部２０２は、第１ドラム４１に巻装される第１マスタＧ１と、第２ドラム５１に巻装される第２マスタＧ２とにおいて、製版可能領域ＱＡと、製版不可能領域ＱＢとを特定する。なお、製版可能領域ＱＡは、穿孔により製版画像を形成可能な領域であり、製版不可能領域ＱＢは、製版画像を形成不可能な領域である。
【００４４】
ここで、図３は、第１ドラム４１に巻装される第１マスタＧ１を説明する平面展開図である。なお、図３に示すように、第１マスタＧ１には、副走査方向ＶＤと主走査方向ＭＤとが規定されている。また、第１マスタＧ１が第１ドラム４１に巻装されると、副走査方向ＶＤは、第１ドラム４１の回転方向Ａとなる。
【００４５】
図３に示すように、第１マスタＧ１は、クランプ領域ＱＴ１、ＱＴ２と、製版可能領域ＱＡと、製版不可能領域ＱＢとを備えている。なお、第２ドラム５１に巻装される第２マスタＧ２も、クランプ領域ＱＴ１、ＱＴ２と、製版可能領域ＱＡと、製版不可能領域ＱＢとを備えているが、以下では、第１マスタＧ１に着目して説明する。
【００４６】
クランプ領域ＱＴ１、ＱＴ２と製版可能領域ＱＡと製版不可能領域ＱＢとは、副走査方向ＶＤに区画形成されており、主走査方向ＭＤに帯状に延びる。
【００４７】
クランプ領域ＱＴ１、ＱＴ２は、第１原紙クランプ部４５によってクランプされる領域である。第１マスタＧ１が第１ドラム４１に巻装されると、第１マスタＧ１の先端部Ｅ１と後端部Ｅ２とが粘着テープなどの連結部材によって連結されるとともに、クランプ領域ＱＴ１とクランプ領域ＱＴ２とが、第１原紙クランプ部４５によってクランプされる。クランプ領域ＱＴ１、ＱＴ２の副走査方向ＶＤにおける長さは、例えば、１５ｍｍ〜２０ｍｍである。
【００４８】
製版可能領域ＱＡは、図３の例に示すように、例えば“Ｚ”で示される文字や図形などの製版画像を穿孔により形成可能な領域である。
【００４９】
製版不可能領域ＱＢは、第１マスタＧ１を第１ドラム４１に巻装する際に余白として確保されている領域である。すなわち、製版不可能領域ＱＢは、穿孔しないように規定した無穿孔領域と言い換えられる。例えば、製版不可能領域ＱＢの副走査方向ＶＤにおける長さαは、４０ｍｍである。
【００５０】
また、第１マスタＧ１が第１ドラム４１に巻装された場合、製版不可能領域ＱＢは、第１ドラム４１に装着された第１マスタＧ１の副走査方向ＶＤにおいて、第１マスタＧ１の中心線ＣＬよりも第１マスタＧ１の先端部側に位置している。また、製版可能領域ＱＡと、製版不可能領域ＱＢとは、いずれも第１マスタＧ１において予め所定位置に規定されている領域である。
【００５１】
特定部２０２は、例えば、操作パネル部１２０を用いてユーザにより入力された設定データに基づいて、第１ドラム４１の外周面上又は第２ドラム５１の外周面上において、所定位置（例えば、先端部Ｅ１）を角度基準とした製版可能領域ＱＡの中心線ＮＬの回転角度を記憶部２０４に記憶する。
【００５２】
印刷制御部２０３は、第１孔版印刷部４と第２孔版印刷部５とを制御する。印刷制御部２０３は、第１孔版印刷部４のドラム駆動モータ４８を制御することにより第１ドラム４１の回転角度を制御する。また、印刷制御部２０３は、第１孔版印刷部４のローラ駆動モータ４９を制御することにより、第１孔版印刷部４の第１プレスローラ４３を第１ドラム４１に押し付ける、又は、離間させる。印刷制御部２０３は、第２孔版印刷部５に対しても第１孔版印刷部４と同様に、ドラム駆動モータ５８とローラ駆動モータ５９とを制御することにより、第２ドラム５１と第２プレスローラ５３とを制御する。
【００５３】
記憶部２０４は、孔版印刷装置１の処理に使用される各種情報を記憶する。
【００５４】
＜孔版印刷装置１の動作＞
次に、孔版印刷装置１の動作について説明する。図４は、孔版印刷装置１が印刷ジョブを取得して印刷処理を実行する際の動作を示すフローチャートである。
【００５５】
ステップＳ１０において、孔版印刷装置１では、取得部２０１が印刷ジョブを取得すると、印刷制御部２０３が、印刷ジョブに基づいて、片側ドラム印刷処理を実行するか否かを判定する。
【００５６】
そして、ステップＳ２０において、印刷制御部２０３は、片側ドラム印刷処理を実行すると判定した場合（ステップＳ１０“Ｙｅｓ”）、第１孔版印刷部４又は第２孔版印刷部５のいずれかを使用して、片側ドラム印刷処理を実行する。
【００５７】
一方で、ステップＳ３０において、印刷制御部２０３は、片側ドラム印刷処理を実行せずに、両ドラム印刷処理を実行すると判定した場合（ステップＳ１０“Ｎｏ”）、第１孔版印刷部４と第２孔版印刷部５との両方を使用して、両ドラム印刷処理を実行する。
【００５８】
次に、ステップＳ２０で実行される片側ドラム印刷処理の動作について具体的に説明する。図５は、孔版印刷装置１が片側ドラム印刷処理を実行する際の動作を示すフローチャートである。なお、以下では、第２孔版印刷部のみを使用して片側ドラム印刷処理を実行する場合を例に挙げて説明する。
【００５９】
ステップＳ１０１において、印刷制御部２０３は、第２孔版印刷部のみを使用して片側ドラム印刷処理を行う場合、第１孔版印刷部４において第１プレスローラ４３と第１ドラム４１とを制御する。具体的に、印刷制御部２０３は、第１ドラム４１から離間するように第１プレスローラ４３を制御するとともに、第１ドラム４１の回転角度を制御する。
【００６０】
ここで、図６は、印刷制御部２０３によって回転角度が制御された第１ドラム４１を説明する側面図である。
【００６１】
ステップＳ１０１では、図６に示すように、印刷制御部２０３は、製版不可能領域ＱＢが搬送経路ＲＣに最も近い経路近傍位置ＮＰとなるように、第１ドラム４１の回転角度を制御する。具体的に、まず、印刷制御部２０３は、第１ドラム４１の頂点を角度基準とした経路近傍位置ＮＰの回転角度βを記憶部２０４から読み出す。また、印刷制御部２０３は、製版不可能領域ＱＢの中心線ＮＬの回転角度（回転位置）を記憶部２０４から読み出す。そして、印刷制御部２０３は、ドラム駆動モータ４８を制御して、製版不可能領域ＱＢの中心線ＮＬが経路近傍位置ＮＰに配置されるように、第１ドラム４１を回転駆動させる。
【００６２】
なお、印刷制御部２０３は、製版不可能領域ＱＢのいずれかの部分を経路近傍位置ＮＰに配置すればよく、必ずしも製版不可能領域ＱＢの中心線ＮＬを経路近傍位置ＮＰに配置しなくてもよい。
【００６３】
ステップＳ１０２において、印刷制御部２０３は、第２孔版印刷部のみを使用して片側ドラム印刷処理を実行する。このとき、搬送経路ＲＣに沿って搬送される印刷用紙Ｗは、第１孔版印刷部４において、第１ドラム４１に巻装されている第１マスタＧ１の製版不可能領域ＱＢに接触しながら、第１ドラム４１と第１プレスローラ４３との間の隙間を通過する。
【００６４】
ステップＳ１０３において、印刷制御部２０３は、印刷ジョブに応じた片側ドラム印刷処理が終了したか否かを判定する。印刷制御部２０３は、片側ドラム印刷処理が終了したと判定した場合（ステップＳ１０３“Ｙｅｓ”）、動作を終了し、終了していないと判定した場合（ステップＳ１０３“Ｎｏ”）、ステップＳ１０２の動作を繰り返す。
【００６５】
＜作用及び効果＞
以上のように、本発明の実施例１に係る孔版印刷装置１では、印刷制御部２０３は、第２孔版印刷部５のみを使用した片側ドラム印刷処理を行う場合、第１ドラム４１から離間するように第１プレスローラ４３を制御するので、印刷用紙Ｗは、第１プレスローラ４３によって第２ドラム５１に向けて押し付けられずに、第１ドラム４１と第１プレスローラ４３との隙間を通過して搬送される。これにより、無製版のマスタを未使用の第１ドラム４１に巻装する必要がなくなる。また、印刷制御部２０３は、第２孔版印刷部５のみを使用した片側ドラム印刷処理を行う場合、第１マスタＧ１に備えられる製版不可能領域ＱＢが経路近傍位置ＮＰとなるように、第１ドラム４１の回転角度を制御するので、搬送経路ＲＣに沿って搬送される印刷用紙Ｗが、第１ドラム４１の第１マスタＧ１の製版可能領域ＱＡに接触してインクが付着してしまうことを抑制できる。
【００６６】
このように、本発明の実施例１に係る孔版印刷装置１によれば、複数のドラムのうちの一部の第２ドラム５１を使用して印刷する際に、無製版のマスタの巻装を不要にし、かつ、印刷用紙が汚れること抑制することができる。
【００６７】
［実施例２］
次いで、本発明の実施例２に係る孔版印刷装置１について説明する。
【００６８】
ここで、上述した実施例１では、印刷制御部２０３は、第１マスタＧ１の製版不可能領域ＱＢが経路近傍位置ＮＰとなるように、第１ドラム４１の回転角度を制御していた。このとき、第１ドラム４１と第１プレスローラ４３との隙間を通過して搬送される印刷用紙Ｗが、第１マスタＧ１の製版不可能領域ＱＢに接触する。実施例２に係る孔版印刷装置１では、印刷用紙Ｗが第１マスタＧ１の製版不可能領域ＱＢに接触することによる破損を抑制することができる。
【００６９】
図７は、実施例２に係る孔版印刷装置１が、片側ドラム印刷処理の前に実行する準備処理についての動作を示すフローチャートである。
【００７０】
ステップＳ２０１において、孔版印刷装置１では、取得部２０１が、印刷ジョブに含まれる製版画像データを取得する。
【００７１】
ステップＳ２０２において、特定部２０２は、製版画像データに基づいて、製版可能領域ＱＡ内から、穿孔されていない無穿孔領域を特定する。
【００７２】
具体的に、特定部２０２は、図３に示すように、製版可能領域ＱＡ内において、主走査方向ＭＤ（主走査方向）に穿孔されていない複数の無穿孔領域ＱＡ１〜ＱＡ２、ＱＡ４を特定する。このとき、特定部２０２は、一部に“Ｚ”の文字が形成される領域ＱＡ３は、特定しない。
【００７３】
ステップＳ２０３において、特定部２０２は、複数の無穿孔領域のうち、副走査方向ＶＤ（副走査方向）に所定長以上にわたって穿孔されていない無穿孔領域があるか否かを判定する。例えば、図３に示すように、特定部２０２は、複数の無穿孔領域ＱＡ１〜ＱＡ２、ＱＡ４のうち、副走査方向ＶＤに３０ｍｍ以上にわたって穿孔されていない無穿孔領域があるか否かを判定する。
【００７４】
ステップＳ２０４において、特定部２０２は、副走査方向ＶＤに所定長以上にわたって穿孔されていない無穿孔領域がないと判定した場合（ステップＳ２０３“Ｎｏ”）、第１ドラム４１に巻装される第１マスタＧ１には、空白領域なしとして記憶部２０４に記憶する。
【００７５】
一方、ステップＳ２０５において、特定部２０２は、副走査方向ＶＤに所定長以上にわたって穿孔されていない無穿孔領域があると判定した場合（ステップＳ２０３“Ｙｅｓ”）、当該無穿孔領域を空白領域として特定する。例えば、図３に示すように、特定部２０２は、複数の無穿孔領域ＱＡ１〜ＱＡ２、ＱＡ４のうち、副走査方向ＶＤに３０ｍｍ以上にわたって穿孔されていない無穿孔領域ＱＡ２、ＱＡ４を空白領域として特定する。
【００７６】
このようにして、特定部２０２は、製版画像データに基づいて、製版可能領域ＱＡ内から、製版画像を構成する穿孔が所定長（例えば、３０ｍｍ）以上にわたって形成されていない空白領域を特定する。
【００７７】
ステップＳ２０６において、特定部２０２は、空白領域として特定した無穿孔領域ＱＡ２、ＱＡ４を識別するＩＤと、無穿孔領域ＱＡ２、ＱＡ４の副走査方向ＶＤにおける中心の回転角度と、耐刷可能枚数とを関連づけて記憶する。例えば、特定部２０２は、図８の例に示すように、ＩＤと回転角度と耐刷可能枚数とを関連づけて記憶する。
【００７８】
次に、実施例２に係る孔版印刷装置１が印刷ジョブを取得して印刷処理を実行する際の動作を説明する。図９は、実施例２に係る孔版印刷装置１の動作を示すフローチャートである。
【００７９】
なお、図９に示すステップＳ３０１〜Ｓ３０２に示す動作は、上述した実施例１において示したステップＳ１０１〜Ｓ１０２の動作と同様であるため、説明を省略する。
【００８０】
ステップＳ３０３において、印刷制御部２０３は、片側ドラム印刷処理を実行中に、枚数センサ部１５０から印刷用紙Ｗが搬送される度に送信される搬送データをカウントする。
【００８１】
ステップＳ３０４において、印刷制御部２０３は、カウントした搬送データをに基づいて、印刷用紙Ｗの搬送枚数が所定枚数に達したか否かを判定する。なお、印刷制御部２０３は、印刷用紙Ｗの搬送枚数が所定枚数に達しないと判定した場合（ステップＳ３０４“Ｎｏ”）、ステップＳ３０２の動作を行う。
【００８２】
一方、ステップＳ３０５において、印刷制御部２０３は、印刷用紙Ｗの搬送枚数が所定枚数（例えば、４０００枚）に達したと判定した場合（ステップＳ３０４“Ｙｅｓ”）、記憶部２０４に空白領域が記憶されているか否かを判定する。なお、印刷制御部２０３は、記憶部２０４に空白領域が記憶されていないと判定した場合（ステップＳ３０４“Ｎｏ”）、ステップＳ３０７の動作を行う。
【００８３】
一方、ステップＳ３０６において、印刷制御部２０３は、記憶部２０４に空白領域が記憶されていると判定した場合（ステップＳ３０４“Ｙｅｓ”）、空白領域が経路近傍位置ＮＰとなるように第１ドラム４１の回転角度を制御する。例えば、印刷制御部２０３は、空白領域として特定された無穿孔領域ＱＡ２の副走査方向ＶＤにおける中心線の回転角度が経路近傍位置ＮＰの回転角度となるように、第１ドラム４１の回転角度を制御する。
【００８４】
ステップＳ３０７において、印刷制御部２０３は、印刷ジョブに応じた片側ドラム印刷処理が終了したか否かを判定する。印刷制御部２０３は、片側ドラム印刷処理が終了したと判定した場合（ステップＳ３０７“Ｙｅｓ”）、動作を終了し、終了していないと判定した場合（ステップＳ３０７“Ｎｏ”）、ステップＳ３０２の動作を繰り返す。
【００８５】
以上のように、実施例２に係る孔版印刷装置１では、印刷制御部２０３は、第２孔版印刷部５のみを使用した片側ドラム印刷処理において印刷用紙Ｗが所定枚数搬送された場合、空白領域が経路近傍位置ＮＰとなるように第１ドラム４１の回転角度を制御する。これにより、搬送される印刷用紙Ｗが第１マスタＧ１に接触（衝突）することに起因して、第１マスタＧ１が破損することを抑制できる。
【００８６】
また、第１ドラム４１に巻装された第１マスタＧ１において、空白領域は、製版不可能領域ＱＢよりも副走査方向ＶＤの後方、すなわち回転方向Ａの後方に位置する。このため、印刷制御部２０３は、製版不可能領域ＱＢが経路近傍位置ＮＰに配置された状態から、空白領域が経路近傍位置ＮＰに配置された状態に移動する際、回転方向Ａに沿ってより効率よく移動できる。
【００８７】
また、実施例１に係る孔版印刷装置１は、第１ドラム４１を回転駆動させるドラム駆動モータ４８と、第２ドラム５１を回転駆動させるドラム駆動モータ５８とを別々に備えている。これにより、印刷制御部２０３は、片側ドラム印刷処理を実行中であっても、ドラム駆動モータ４８を制御して、第１ドラム４１の回転角度を制御できる。よって、印刷制御部２０３は、空白領域が経路近傍位置ＮＰとなるように第１ドラム４１の回転角度を制御する際に、片側ドラム印刷処理を停止しなくてもよいため、印刷生産性の低下を抑制できる。
【００８８】
［実施例３］
次いで、本発明の実施例３に係る孔版印刷装置１について説明する。
【００８９】
ここで、上述した実施例１では、印刷制御部２０３は、片側ドラム印刷処理において、第１マスタＧ１の製版不可能領域ＱＢが経路近傍位置ＮＰとなるように、第１ドラム４１の回転角度を制御していた。このとき、製版可能領域ＱＡは、第１ドラム４１の回転軸４１ａの中心Ｃよりも上下方向ＺＤの下側に配置される。また、製版不可能領域ＱＢは、第１ドラム４１に装着された第１マスタＧ１の副走査方向ＶＤにおいて、第１マスタＧ１の中心線ＣＬよりも第１マスタＧ１の先端部Ｅ１側に位置しているため、先端部Ｅ１も第１ドラム４１の回転軸４１ａの中心Ｃよりも上下方向ＺＤの下側に配置された状態となる。
【００９０】
実施例３に係る孔版印刷装置１では、先端部Ｅ１が第１ドラム４１の回転軸４１ａの中心Ｃよりも上下方向ＺＤの下側に配置された状態となることにより、第１ドラム４１に供給されているインクが先端部Ｅ１から漏れ出ることを防止できる。
【００９１】
次に、実施例３に係る孔版印刷装置１が印刷ジョブを取得して印刷処理を実行する際の動作を説明する。図１０は、実施例３に係る孔版印刷装置１の動作を示すフローチャートである。
【００９２】
なお、図１０に示すステップＳ４０１〜Ｓ４０２に示す動作は、上述した実施例１に示したステップＳ１０１〜Ｓ１０２の動作と同様であるため、説明を省略する。
【００９３】
ステップＳ４０３において、印刷制御部２０３は、印刷ジョブに応じた片側ドラム印刷処理が終了したか否かを判定する。
【００９４】
ステップＳ４０４において、印刷制御部２０３は、片側ドラム印刷処理が終了したと判定した場合（ステップＳ４０３“Ｙｅｓ”）、第１マスタＧ１の先端部Ｅ１が第１ドラム４１の回転軸４１ａの中心Ｃよりも上下方向ＺＤにおいて上側になるように、第１ドラム４１の回転角度を制御する。
【００９５】
例えば、図１１（ａ）に示すように、印刷制御部２０３は、第１マスタＧ１の製版不可能領域ＱＢを経路近傍位置ＮＰに配置した場合、先端部Ｅ１が頂点を角度基準とした回転角度γ１に配置される。そして、ステップＳ４０４において、印刷制御部２０３は、図１１（ｂ）に示すように、第１マスタＧ１の先端部Ｅ１が第１ドラム４１の回転軸４１ａの中心Ｃを通る水平線ＨＬよりも上下方向ＺＤにおいて上側になるように、先端部Ｅ１を回転角度γ２に配置する。
【００９６】
一方、ステップＳ４０５において、印刷制御部２０３は、片側ドラム印刷処理が終了していないと判定した場合（ステップＳ４０３“Ｎｏ”）、片側ドラム印刷処理が中断したか否かを判定する。例えば、印刷制御部２０３は、操作パネル部１２０を用いてユーザにより一時停止ボタンが入力されたか否かを検出することで、片側ドラム印刷処理が中断したか否かを判定する。なお、印刷制御部２０３は、片側ドラム印刷処理が中断していないと判定した場合（ステップＳ４０５“Ｎｏ”）、ステップＳ４０２の動作を行う。
【００９７】
一方、ステップＳ４０６において、印刷制御部２０３は、片側ドラム印刷処理が中断したと判定した場合（ステップＳ４０５“Ｙｅｓ”）、第１ドラム４１の回転角度を維持する。具体的に、印刷制御部２０３は、第１マスタＧ１の製版不可能領域ＱＢを経路近傍位置ＮＰに配置した状態を維持する。
【００９８】
ステップＳ４０７において、印刷制御部２０３は、片側ドラム印刷処理が再開したか否かを判定する。例えば、印刷制御部２０３は、操作パネル部１２０を用いてユーザにより再開ボタンが入力されたか否かを検出することで、片側ドラム印刷処理が再開したか否かを判定する。なお、印刷制御部２０３は、片側ドラム印刷処理が再開したと判定した場合（ステップＳ４０７“Ｙｅｓ”）、ステップＳ４０２の動作を行う。
【００９９】
一方、ステップＳ４０８において、印刷制御部２０３は、片側ドラム印刷処理が再開していないと判定した場合（ステップＳ４０７“Ｎｏ”）、片側ドラム印刷処理が中断した後に、所定期間（例えば、１分）の経過を検出したか否かを判定する。
【０１００】
例えば、印刷制御部２０３は、片側ドラム印刷処理が中断したタイミングで、タイマーを起動して、中断時間を計測する。そして、印刷制御部２０３は、中断時間が所定期間を経過した場合、所定期間の経過を検出する。
【０１０１】
そして、印刷制御部２０３は、片側ドラム印刷処理が中断した後、所定期間の経過を検出した場合（ステップＳ４０８“Ｙｅｓ”）、ステップＳ４０４の動作を行う。すなわち、印刷制御部２０３は、第１マスタＧ１の先端部Ｅ１が第１ドラム４１の回転軸４１ａの中心Ｃよりも上下方向ＺＤにおいて上側になるように、第１ドラム４１の回転角度を制御する。
【０１０２】
一方、印刷制御部２０３は、所定期間の経過を検出しない場合（ステップＳ４０８“Ｎｏ”）、ステップＳ４０６の動作を繰り返す。
【０１０３】
以上のように、実施例３に係る孔版印刷装置１では、印刷制御部２０３は、片側ドラム印刷処理が終了した場合、第１ドラム４１の先端部Ｅ１が第１ドラム４１の回転軸４１ａよりも上下方向ＺＤにおいて上側になるように、第１ドラム４１の回転角度を制御する。これにより、第１マスタＧ１の先端部Ｅ１からインクが漏れ出ることを防止できる。
【０１０４】
実施例３に係る孔版印刷装置１によれば、印刷制御部２０３は、片側ドラム印刷処理が中断した場合、第１マスタＧ１の回転角度を維持する。これにより、片側ドラム印刷処理が再開する際に、より迅速に再開できる。
【０１０５】
実施例３に係る孔版印刷装置１によれば、印刷制御部２０３は、片側ドラム印刷処理が中断した後、所定期間の経過を検出した場合、第１ドラム４１の先端部Ｅ１が第１ドラム４１の回転軸４１ａよりも上下方向ＺＤにおいて上側になるように、第１ドラム４１の回転角度を制御する。これにより、印刷を実行しない状態が所定期間継続する場合に、第１マスタＧ１の先端部Ｅ１が第１ドラム４１の回転軸４１ａの中心Ｃよりも上側に移動されるため、第１マスタＧ１の先端部Ｅ１からインクが漏れ出ることを防止できる。
【０１０６】
なお、第１ドラム４１の回転軸４１ａの中心Ｃを通る水平線ＨＬを０°とした場合、印刷制御部２０３は、第１マスタＧ１の先端部Ｅ１が水平線ＨＬよりも４５°以上頂点側に回転させることがより好ましい。これにより、第１マスタＧ１の先端部Ｅ１からインクが漏れ出ることをより確実に防止できる。
【０１０７】
また、上述した実施例３に係る孔版印刷装置１では、ステップＳ４０８において、片側ドラム印刷処理が中断した後、所定期間の経過を検出したか否かを判定していたが、これに限定されるものではない。例えば、ステップＳ４０８において、印刷制御部２０３は、片側ドラム印刷処理が中断した後、孔版印刷装置１の電源の切断を検出したか否かを判定してもよい。そして、印刷制御部２０３は、孔版印刷装置１の電源の切断を検出した場合に、ステップＳ４０４の動作を行い、孔版印刷装置１の電源の切断を検出しない場合に、ステップＳ４０６の動作を行ってもよい。なお、印刷制御部２０３は、操作パネル部１２０を用いてユーザにより電源の遮断ボタンが入力されたか否かを判定することで、孔版印刷装置１の電源の遮断を検出したか否かを判定してもよい。
【０１０８】
［本発明のその他の実施形態］
以上、上述の実施例を用いて本発明について詳細に説明したが、当業者にとっては、本発明が本明細書中に説明した実施形態に限定されるものではないということは明らかである。
【０１０９】
例えば、上述した実施例では、片側ドラム印刷処理が、第２孔版印刷部５の第２ドラム５１を用いた印刷処理である場合を例に挙げて説明したが、第１孔版印刷部４の第１ドラム４１を用いた印刷処理であってもよい。この場合、本体制御部２００では、特定部２０２及び印刷制御部２０３が第１孔版印刷部４に対して実行していた制御を、第２孔版印刷部５に実行する。
【０１１０】
また、例えば、上述した実施例に係る孔版印刷装置１では、第１ドラム４１を回転駆動させるドラム駆動モータ４８と、第２ドラム５１を回転駆動させるドラム駆動モータ５８とを備えていたが、ドラム駆動モータ４８とドラム駆動モータ５８とを単一のドラム駆動モータにより構成してもよい。この場合、孔版印刷装置１は、単一のドラム駆動モータの駆動力を第１ドラム４１と第２ドラム５１との一方又は両方に選択的に与える切り替え機構を備える構成となる。
【０１１１】
また、例えば、上述した実施例では、孔版印刷装置１が、第１ドラム４１を備える第１孔版印刷部４と第２ドラム５１を備える第２孔版印刷部５との二つの孔版印刷部を備え、２色印刷を行える構成を例に挙げて説明したが、３つ以上の孔版印刷部を備え、３色以上の印刷を行える構成であってもよい。この場合、第１孔版印刷部４に対して実行していた制御を、使用しない未使用ドラムを備える孔版印刷部に対して実行する。
【０１１２】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１１３】
１…孔版印刷装置
２…読取部
３…給紙部
４…第１孔版印刷部
５…第２孔版印刷部
６…製版部
８…第１排版部
９…第２排版部
１０…中間搬送部
１１…排紙部
４１…第１ドラム
４１ａ…回転軸
４３…第１プレスローラ
５１…第２ドラム
５３…第２プレスローラ
１２０…操作パネル部
１５０…枚数センサ部
２００…本体制御部
２０１…取得部
２０２…特定部
２０３…印刷制御部
２０４…記憶部
Ａ…回転方向
Ｇ１…第１マスタ
Ｇ２…第２マスタ
ＮＰ…経路近傍位置
ＱＡ…製版可能領域
ＱＢ…製版不可能領域
ＲＣ…搬送経路
【図１】
2017185661.tif 000003
【図２】
2017185661.tif 000004
【図３】
2017185661.tif 000005
【図４】
2017185661.tif 000006
【図５】
2017185661.tif 000007
【図６】
2017185661.tif 000008
【図７】
2017185661.tif 000009
【図８】
2017185661.tif 000010
【図９】
2017185661.tif 000011
【図１０】
2017185661.tif 000012
【図１１】
2017185661.tif 000013